(57)【要約】【課題】磁気ディスク装置において、磁気ヘッドの動きを抑制することにより磁気ヘッドの損傷を回避しもしくは緩衝させることで、磁気ディスク装置の耐衝撃性を向上させる構造を開示する。【解決手段】磁気ヘッドを磁気ディスクより退避する構造を有した磁気ディスク装置において、磁気ヘッドの退避機構であるランプ７上の一部を正対する磁気ヘッド間に配置した緩衝機構８を配置することにより、磁気ヘッド同士の直接の接触を回避することで、衝撃による磁気ヘッドの損傷を防止する。【選択図】　図５
2004127441.tif 000002
【特許請求の範囲】
【請求項１】
情報を記録又は再生する磁気ディスクと、前記磁気ディスクを回転させるモータと、前記モータを固定するベースと、前記磁気ディスクへ読み書きをする磁気ヘッドと、前記磁気ヘッドを支持するキャリッジと、前記磁気ヘッドを磁気ディスク上の任意の位置に移動させるために前記キャリッジに取り付けられたコイルと、前記コイルを挟み込むようにして磁気回路を構成するボイスコイルモータと、前記磁気ヘッドを前記磁気ディスク上から退避させる待避機構とを備えた磁気ディスク装置において、前記退避機構内において正対する前記ヘッド同士の衝突を防止することで、前期ヘッドの損傷を回避するため、退避機構と同一部材または、別部材を間にはさむ機構を有することを特徴とする磁気ディスク装置。
【請求項２】
請求項１に記載の磁気ディスク装置において、前記退避機構内において正対する前記ヘッド同士の衝突を抑制し、損傷を防止するため、対向する前記ヘッド間に前記ヘッド動作を拘束しかつヘッドと拘束部材との衝突を回避する機構を有することを特徴とする磁気ディスク装置。
【請求項３】
請求項１に記載の磁気ディスク装置において、前記待避機構内において正対する前記ヘッドを支持する前記キャリッジの動作を制限することで、前記磁気ヘッドの損傷を防止することを特徴とする磁気ディスク装置。
【発明の詳細な説明】
【０００１】
【発明の属する技術分野】
本発明は、磁気ディスク装置関し、特に磁気ディスク装置の落下等により磁気ディスクに掛る衝撃耐力の向上技術に関する。
【０００２】
【従来の技術】
従来、磁気ディスク装置は、非動作時ならびに動作中のアクセスのない状態でも、磁気ヘッドを磁気ディスク上に配しているコンタクト・スタート・ストップという方式が一般的であった。一方、この方式では常に磁気ヘッドが磁気ディスク上に存在するために、耐衝撃性や信頼性を向上させることが困難であった。これらの問題を解決するために、磁気ディスク外に磁気ヘッドの退避機構を有するロードアンロード機構の採用することにより、磁気ディスク装置の耐衝撃性は飛躍的に向上した。しかしながら、磁気ディスク装置が小型化し使用範囲が拡大してきており、更なる耐衝撃性が求められている。従来の退避機構においては、ヘッドを確実に退避機構に退避させておく機構を有するものがあるが、退避機構内において正対する磁気ヘッド同士の衝突への配慮はなされているものはなく、磁気ディスク装置に過度な衝撃が印加された場合に、正対する磁気ヘッド同士が衝突することがある。
【０００３】
【特許文献１】特開平１０−３０２４２１号公報
【発明が解決しようとする課題】
従来技術においては、磁気ヘッド退避機構を設け、磁気ヘッドを磁気ディスク外に配置することで、磁気ディスクと磁気ヘッドの衝突を回避させることにより耐衝撃性を向上させている。しかしながら、磁気ヘッド退避状態の磁気ディスク装置が落下などにより衝撃を受けた場合、磁気ヘッド同士が衝突し、その結果として磁気ヘッドが損傷することがある。これは、特願２０００−１９０５９号にあるようなヘッド退避機構内にある磁気ヘッドとそのヘッドが取り付けられているキャリッジを拘束し、磁気ディスク上に落下しないようにするための機構では回避できない。
【０００４】
したがって、本発明の解決課題は、磁気ヘッドを磁気ディスクより退避する構造を有した磁気ディスク装置において、磁気ヘッドの動きを抑制することにより磁気ヘッドの損傷を回避しもしくは緩衝させることで、磁気ディスク装置の耐衝撃性を向上させる事である。
【０００５】
【課題を解決するための手段】
前記課題を解決するために、本発明は主として次のような構成を採用する。
情報を記録又は再生する磁気ディスクと、前記磁気ディスクを回転させるモータと、前記モータを固定するベースと、前記磁気ディスクへ読み書きをする磁気ヘッドと、前記磁気ヘッドを支持するキャリッジと、前記磁気ヘッドを磁気ディスク上の任意の位置に移動させるために前記キャリッジに取り付けられたコイルと、前記コイルを挟み込むようにして磁気回路を構成するボイスコイルモータと、前記磁気ヘッドを前記磁気ディスク上から退避させる待避機構とを備えた磁気ディスク装置において、前記退避機構上に待避している正対する前記ヘッド同士が、接触することにより損傷することを回避するために、退避機構と同一部材または、別部材を間にはさむ機構を有することで、前記磁気ヘッドの損傷を回避する。
【０００６】
また、前記磁気ディスク装置において、正対する前記ヘッド同士の衝突を抑制し、損傷を防止するため、対向する前記ヘッド間に前記ヘッド動作を拘束しかつヘッドと拘束部材との衝突を回避する機構を有する。
前記の磁気ディスク装置の、前記待避機構内において正対する前記ヘッドを支持する前記キャリッジの動作を制限することで、前記磁気ヘッドの損傷を防止する。
【０００７】
【発明の実施の形態】
本発明の実施形態を図１〜図５を用いて以下説明する。図１は本発明の実施形態に係る磁気ディスク装置の概略を示す図であり、図２は退避機構の拡大図、図３から５は衝突回避機構の構成例を示す図である。
【０００８】
本発明の実施形態に係る磁気ディスク装置は、図１を参照して、情報を記録するための少なくとも１枚の磁気ディスク１と、前記磁気ディスク１を回転させるためのモータと、前記モータを固定するためのベース２と、前記磁気ディスク１へ読み書きをするための磁気ヘッド３と、前記ヘッド３を支持するためのキャリッジ４と、前記ヘッド３を磁気ディスク１上の任意の位置に移動させるために前記キャリッジ４に取り付けられたコイル５と、前記コイル５を挟み込むようにして磁気回路を構成するボイスコイルモータ６と、前記ヘッド３を前記ディスク１の外に退避させるためのランプ７と、前記ヘッド同士の衝突を防止する為の緩衝機構８とを備えている。
【０００９】
図２は、このうち前記磁気ヘッドの退避機構の拡大図である。非動作時や動作時のアクセスのない状態では互いに向き合った前記磁気ヘッド３は、キャリッジ４に支持されて前記磁気ディスク外の退避機構であるランプ７上に配置されている。
【００１０】
１つ目の実施形態では、図３に示すように、退避機構であるランプ７の一部を正対する磁気ヘッド間に配置した緩衝機構Ａ　８を配置することにより、ヘッド同士の直接の接触を防止する。ヘッド間に配置される緩衝機構Ａの部材は、ランプと同一でも、また異なった部材でもよい。
【００１１】
図４に２つ目の実施形態の構成例を示す。ランプ７から伸びている接触防止部分のうち、緩衝機構Ｂ　９のような磁気ヘッド周辺部のみを一部切り欠いた緩衝部分を設けることで、磁気ヘッドとランプもしくは緩衝材との接触による磁気ヘッドの損傷を防止する。また緩衝部分は、磁気ヘッドの損傷を防止するためにランプ材よりも硬度の低い部材を配することでも同様の効果を得られる。
【００１２】
図５に３つ目の実施形態を示す。ランプから伸びている緩衝機構Ｃ　１０において、ランプと磁気ヘッドとの接触を防止し、かつ、磁気ヘッドを保持するキャリッジの動作を抑制するためのストッパ　１１を設ける。これにより磁気ヘッドの振動幅が抑制され、磁気ヘッド同士の直接の衝突を防止し損傷を防ぐ。ストッパ部は、磁気ヘッドとコイルの間に配置されるとより効果的であるが、磁気ヘッドよりキャリッジ先端部に設けても一定の効果はある。
以上説明したように、本発明の実施形態は次のような構成と機能を有するものを含むものである。
【００１３】
１．磁気ディスクに内蔵されている磁気ヘッド退避機構において、対向する磁気ヘッド同士の接触による損傷を防止するために、ヘッドとヘッドの間に退避機構の一部を延長した部材を配することで、ヘッド同士の直接の接触を防止する。これにより、外部から衝撃等が印加されベースもしくは磁気ディスクがその応答によって振動し、その応答として磁気ヘッドを支持しているキャリッジが振動することにより、結果として磁気ヘッド同士が接触し損傷することを防止することができる。
【００１４】
２．磁気ディスク内の磁気ヘッド退避機構において、対向するヘッド同士の接触による損傷を抑制するために、ヘッドとヘッドの間に退避機構の一部を延長し、ヘッドの動作を抑制する部材を配することで、ヘッド同士の直接の接触を抑制する。また、ヘッドと動作を抑制する部材との接触も起こらないような構造とする。これにより、ヘッド同士の接触のみならず、ヘッドと動作抑制のための部材との接触も回避することが出来、結果として磁気ヘッドの損傷による磁気ディスク装置の破壊を防止することができる。
【００１５】
各々の方式の退避機構において、落下等により外部から衝撃が加わり磁気ヘッド同士、もしくはその他の部材との接触による磁気ヘッドの破壊を回避することが出来、磁気ディスク装置の耐衝撃性を向上させる。
【００１６】
【発明の効果】
本発明によれば、磁気ヘッドの退避機構を過大な衝撃による簡単な構造の落下感知センサで、落下することを感知することが可能であり、その感知によって、磁気ヘッドを磁気ディスクの上から待避させることができ、衝撃により磁気ヘッドと磁気ディスクが接触し破壊することを回避することが出来る。
【図面の簡単な説明】
【図１】本発明の実施形態に係る磁気ディスク装置の概略を示す図である。
【図２】磁気ディスク装置内の磁気ヘッド退避機構と磁気ヘッドの関係を表した拡大図である。
【図３】磁気ヘッドの損傷を回避する磁気ヘッド退避機構の第１の構成例を示す図である。
【図４】磁気ヘッドの損傷を回避する磁気ヘッド退避機構の第２の構成例を示す図である。
【図５】磁気ヘッドの損傷を回避する磁気ヘッド退避機構の第３の構成例を示す図である。
【符号の説明】
１　磁気ディスク　　　　２　ベース　　　　　３　磁気ヘッド
４　キャリッジ　　　　　５　コイル
６　ボイスコイルモータ　　　　　　　　　　　　７　ランプ
８　緩衝機構　　　　　　９　緩衝機構Ａ　　　１０　緩衝機構Ｂ
１１　緩衝機構Ｃ　　　　　１２　ストッパ
【図１】
2004127441.tif 000003
【図２】
2004127441.tif 000004
【図３】
2004127441.tif 000005
【図４】
2004127441.tif 000006
【図５】
2004127441.tif 000007